(57)【要約】      （修正有）【課題】複数種類の展示物に対応可能な汎用性を確保し、かつ、展示台の耐久性を向上する。【解決手段】透明性を有する樹脂材料によって板状に形成され一方の面６ａ上に並べて配置された複数の展示物３を支持する支持板６と、支持板６が挿抜可能に支持される支持溝７ａを有する基台７と、支持板６の一方の面６ａに設けられ展示物３を支持する受け台９と、を備える。そして、支持板６は、一方の面６ａに沿ってシート材１０が挟み込まれる空隙を有し、一方の面６ａ及び他方の面６ｂからシート材１０を目視可能に構成されている。【選択図】図１
2012055626.tif 000002
【特許請求の範囲】
【請求項１】
透明性を有する樹脂材料によって板状に形成され、一方の面上に並べて配置された複数の展示物を支持する支持板と、
前記支持板が挿抜可能に支持される支持溝を有する基台と、
前記支持板の前記一方の面に設けられ、前記展示物を支持する受け台と、を備え、
前記支持板は、前記一方の面に沿ってシート材が挟み込まれる空隙を有し、前記一方の面及び他方の面から前記シート材を目視可能に構成されている、展示台。
【請求項２】
前記支持板の前記一方の面上に設けられ、前記受け台に支持された前記展示物の水平方向の両側を保持する仕切り部材を備え、
前記仕切り部材は、前記受け台に支持された前記展示物の上端部近傍に配置されている、請求項１に記載の展示台。
【請求項３】
前記基台は、前記支持板の前記一方の面を水平方向に対して傾斜させた状態で前記支持板を支持する、請求項１または２に記載の展示台。
【請求項４】
前記シート材は、一方に面に前記展示物に対応する情報の表示が設けられ、他方の面に別の情報の表示が設けられ、
前記シート材は、前記支持板の前記一方の面側に、前記展示物に対応する情報の表示が位置し、前記支持板の前記他方の面側に、前記別の情報の表示が位置されている、請求項１ないし３のいずれか１項に記載の展示台。
【請求項５】
前記仕切り部材は、前記展示物の外形寸法に応じて位置を調整可能に設けられている、請求項２ないし４のいずれか１項に記載の展示台。
【請求項６】
前記基台は、水平方向に対する前記支持板の前記一方の面の傾斜角を調整可能な機構を有している、請求項１ないし５のいずれか１項に記載の展示台。
【発明の詳細な説明】
【技術分野】
【０００１】
本発明は、例えば店舗で販売する複数の展示物を並べて展示するための展示台に関する。
【背景技術】
【０００２】
携帯電話機等の携帯端末を販売する店舗では、実際の製品と外観が似せて作られた模型、いわゆるモックアップである展示物が並べて配置され、販売促進用のＰＯＰ(Point of Purchase)広告が設けられる展示台が用いられている。
【０００３】
この種の展示台は、一般に、個々の製品の外形の形状に対応するために、製品の機種ごとに専用の展示台が作製されている。また、一般的な展示台は、厚紙によって形成されており、厚紙を折り曲げて組み合わせることで形成されている（例えば特許文献１参照）。
【０００４】
本発明に関連する、携帯端末のモックアップの展示台は、厚紙によって形成された部品を組み合わせて構成されており、モックアップが並べて配置される支持部と、この支持部を支える支持脚と、を備えている。支持部には、一方の面にモックアップを保持する突起部が設けられており、他方の面に支持脚が取り付けられている。
【先行技術文献】
【特許文献】
【０００５】
【特許文献１】特開平７−３２２９４５号公報
【発明の概要】
【発明が解決しようとする課題】
【０００６】
上述したように本発明に関連する、モックアップの展示台は、携帯端末の機種ごとに専用の展示台として製作されていた。このため、本発明に関連する、モックアップの展示台は、機種毎に充分な数量を製造するための製造期間や製造コストがかさむ問題があった。
【０００７】
加えて、二次的な問題として、全国の店舗に専用の展示台を配送するまでの時間がかかり輸送コストも大きくならざるを得なかった。その結果、全国の店舗に十分な数量の展示台を配布できないこともあった。
【０００８】
また、本発明に関連する、モックアップの展示台は、支持部や支持脚が紙製であるので、劣化し易く、耐久性が乏しいという問題があり、使用済みの展示台を再利用することもできなかった。
【０００９】
本発明は、上記関連する技術の課題を解決するものであり、複数種類の展示物に対応可能な汎用性を確保し、かつ、展示台の耐久性を向上することができる展示台を提供することを目的とする。
【課題を解決するための手段】
【００１０】
上述した目的を達成するため、本発明に係る展示台は、透明性を有する樹脂材料によって板状に形成され一方の面上に並べて配置された複数の展示物を支持する支持板と、支持板が挿抜可能に支持される支持溝を有する基台と、支持板の一方の面に設けられ展示物を支持する受け台と、を備える。そして、支持板は、一方の面に沿ってシート材が挟む込まれる空隙を有し、一方の面及び他方の面からシート材を目視可能に構成されている。
【発明の効果】
【００１１】
本発明によれば、複数種類の展示物に対応可能な汎用性を確保し、かつ、展示台の耐久性を向上することができる。
【図面の簡単な説明】
【００１２】
【図１】実施形態の展示台に展示物が展示されている状態を示す斜視図である。
【図２】実施形態の展示台に展示物が展示されていない状態を示す斜視図である。
【図３】実施形態の展示台を説明するために示す分解斜視図である。
【図４】実施形態の展示台が備える支持板を説明するための斜視図である。
【発明を実施するための形態】
【００１３】
以下、本発明の具体的な実施形態について、図面を参照して説明する。
【００１４】
図１に、実施形態の展示台に展示物が展示されている状態の斜視図を示す。図２に、実施形態の展示台に展示物が展示されていない状態の斜視図を示す。図３に、実施形態の展示台を説明するための分解斜視図を示す。図４に、実施形態の展示台が備える支持板を説明するための斜視図を示す。
【００１５】
図１及び図２に示すように、本実施形態の展示台１は、一方の面６ａ上に並べて配置された複数の展示物３を支持する支持板６と、一端部に支持板６が挿抜可能に支持される支持溝７ａを有する基台７と、支持板６の一方の面６ａに設けられ展示物３の下端を支持する受け台９と、を備えている。本実施形態において、展示物３としては携帯端末のモックアップが適用されており、４つのモックアップを並べて展示可能に構成されている。
【００１６】
支持板６は、透明性を有するプラスチック等の樹脂材料によって板状に形成されている。支持板６は、図３に示すように、一方の面６ａに沿ってシート材１０が挟み込まれる断面Ｕ字状の空隙６ｃを有しており、一方の面６ａ及び他方の面６ｂからシート材１０を目視可能に構成されている。
【００１７】
支持板６の一方の面６ａ上には、一方の面６ａ上に配置された展示物３の水平方向の両側を保持する複数の仕切り部材１１が設けられている。仕切り部材１１は、例えば樹脂材料によって形成されており、支持板６の一方の面６ａ上に並べられた、隣接する展示物３の間に設けられている。
【００１８】
また、仕切り部材１１は、受け台９に支持された展示物３の上端部近傍に配置されており、受け台９に支持された展示物３が転倒しないように保持する。仕切り部材１１が展示物３の下端部近傍に配置された場合、展示物３を支持板６に載せたときの安定性が損なわれてしまう。また、機種毎に携帯端末の縦方向（鉛直方向）の中央部の外形の形状や外形寸法は比較的大きく異なっているので、仕切り部材１１が展示物３の鉛直方向の中央部近傍に配置された場合、仕切り部材１１によって複数種類の展示物３に対応する汎用性が損なわれてしまう。したがって、仕切り部材１１は、受け台９に支持された展示物３の上端部近傍に配置されることで、支持板６の一方の面６ａ上に展示物３を置いたときの安定性と、汎用性を両立することができる。
【００１９】
なお、仕切り部材１１は、図示しないが、水平方向または鉛直方向に対してスライド移動可能に支持板６に設けられ、展示物３であるモックアップ毎の外形寸法、つまり携帯端末の機種毎の外形寸法に応じて位置を調整可能に構成されてもよい。
【００２０】
また、仕切り部材１１に加えて、支持板６の一方の面上に、展示物３の外形の形状に対応する凹部（不図示）が設けられてもよい。この構成によれば、凹部によって展示物３を、利用者から見やすい所定の展示位置に容易に位置決めし、展示位置に安定的に保つことができる。
【００２１】
シート材１０は、一方の面に展示物３に対応する説明等の情報の表示が設けられており、他方の面に別の情報の表示が設けられている。別の情報の表示としては、展示物３の代替となる、例えば実際の携帯端末の画像等が用いられる。そして、シート材１０は、支持板６の一方の面６ａ側に、展示物３に対応する情報の表示が位置し、支持板６の他方の面６ｂ側に別の情報の表示が位置するように、支持板６の空隙内６ｃに挟み込まれる。
【００２２】
基台７は、例えば樹脂材料によって形成された板材が、例えば６０度程度をなす角度で断面Ｖ字状に折り曲げて形成されている。したがって、基台７は、支持板６の一方の面６ａを水平方向に対して６０度の傾斜角で傾斜させた状態で支持板６を支持する。そして、基台７は、必要に応じて所望の設置場所に固定部材（不図示）で固定されて設置される。
【００２３】
そして、図４に示すように、基台７の支持溝７ａに対して支持板６を差し込む向きを変えることで、支持板６の一方の面６ａ及び他方の面６ｂのいずれかを展示台１の正面側に向けることで、必要に応じてシート材１０の両面の情報の表示を目視することができる。
【００２４】
なお、図示しないが、基台７は、支持板６を支持する支持部と、展示台１の設置位置に固定される基部と、支持部に対して基部を回動可能にするヒンジ構造とを有して構成されてもよい。この構成によれば、ヒンジ機構によって、支持板６の一方の面６ａの水平方向に対する傾斜角を微調整し、所望の傾斜角で固定することが可能になる。
【００２５】
受け台９は、支持板６の一方の面６ａ上に配列された複数の展示物３の下端を連続して支持するように延ばされて形成されており、展示物３の下端から上方に曲げられた断面Ｌ字状に形成されている。このように、受け台９は、複数の展示物３に共通する１つの部材として形成されることで、製造コストの低減が図られる。
【００２６】
また、受け台９の正面には、展示物３に対応する例えば価格等の情報の表示ラベルが貼付される。受け台９は、基台７の底面よりも上方に配置されており、支持板６の一方の面６ａから突出されているので、表示ラベルを貼り付け易く、表示ラベルの視認性が向上されている。なお、受け台９は、図示しないが、例えば支持板６と同様に、情報を表示する別のシート材が挿抜可能な空隙を有する構成にされてもよい。
【００２７】
以上のように構成された展示台１について、基台７に対して支持板６を差し替える動作を説明する。
【００２８】
まず、展示物３を展示する場合、展示台１は、図１に示すように、支持板６が一方の面６ａ側を正面側に向けた状態で基台７の支持溝７ａに差し込まれて支持される。展示物３は、支持板６の仕切り部材１１の間に位置するように配置されて、受け台９上に載置される。展示台１の利用者は、展示物３に対応する、シート材１０の情報を、支持板６の一方の面６ａ側から見ることができると共に、支持板６から展示物３を手に取ったときにその展示物３で隠されていた説明等の情報の表示を見ることができる。
【００２９】
次に、展示物３を展示しない場合、展示台１は、図２に示すように、支持板６が他方の面６ｂ側を正面側に向けた状態で基台７の支持溝７ａに差し込まれて支持される。この場合、展示台１の利用者は、展示物３が支持板６に展示されていない状態で、シート材１０の別の情報として、展示物３の代替となる画像等の情報を、支持板６の他方の面６ｂ側から見ることができる。
【００３０】
また、他の機種のモックアップである別の展示物を展示する場合、支持板６の空隙６ｃ内に挟み込まれるシート材１０を交換することで、展示台１を別の展示物に容易に対応させることができる。
【００３１】
上述したように、実施形態の展示台１は、基台７に対する支持板６の向きを差し替え可能に構成されたことで、展示物３を展示する有無等の必要に応じて、支持板６の一方の面６ａから展示物に対応する、シート材１０の情報を目視可能とする状態と、支持板６の他方の面６ｂからシート材１０の別の情報を目視可能とする状態とに容易に切り換えることができる。
【００３２】
加えて、展示台１によれば、例えばモックアップの店舗への配布の有無に関わらずに、ＰＯＰ広告用の展示台としても利用でき、販売の早期から継続的に製品を訴求するツールとなる。
【００３３】
また、実施形態の展示台１は、基台７と支持板６とに分かれるセパレート式で構成され、かつ、透明な樹脂材料で形成された支持台６に、例えば製品説明用のシート材１０を挟み込めるように構成されているので、携帯端末の機種毎に、製品説明用のシート材１０のみを差し替えることで、複数種類の携帯端末において展示台１を再利用することが可能になる。したがって、複数種類の展示物に対応可能な汎用性を確保することができる。
【００３４】
また、実施形態の展示台１によれば、基台７や支持板６が紙製ではなく、プラスチック等の樹脂材料で形成されているので、劣化し難く、長期間にわたる使用が可能となり、展示台の耐久性を向上することができる。
【００３５】
なお、本発明に係る展示台は、上述したような携帯電話機等の携帯端末のモックアップの展示台に限定されるものではなく、例えば文房具や化粧品等の外形の形状が、ある程度パターン化されている製品において、販売店の店頭用のＰＯＰ広告として用いられて好適である。
【符号の説明】
【００３６】
１  展示台
３  モックアップ
６  支持板
６ａ  一方の面
６ｂ  他方の面
６ｃ  空隙
７  基台
７ａ  支持溝
８  基台
９  受け台
１０  シート材
１１  仕切り部材
【図１】
2012055626.tif 000003
【図２】
2012055626.tif 000004
【図３】
2012055626.tif 000005
【図４】
2012055626.tif 000006